(57)【特許請求の範囲】
【請求項１】
終端抵抗を介したバスラインへの所定電圧の出力を行うアクティブターミネータ用アンプにおいて、出力段トランジスタの駆動ラインと所定の定電圧源とに他素子を介さず直接に介挿接続された容量素子を備えたことを特徴とするアクティブターミネータ用アンプ。
【請求項２】
終端抵抗を介したバスラインへの所定電圧の出力を行うボルテージフォロア形のアクティブターミネータ用アンプにおいて、出力段トランジスタがバイポーラトランジスタであり、且つこの出力段トランジスタのベースラインに一端が他素子を介さず直接に接続され他端が定電圧源に他素子を介さず直接に接続されたコンデンサが設けられていることを特徴とするアクティブターミネータ用アンプ。
【請求項３】
前記出力段トランジスタはトーテムポール形のトランジスタ対を含んだものであり、そのうち一方のトランジスタは定電流による駆動を受けるものであり、他方のトランジスタは入力段差動増幅回路等からの差動信号による定常的な駆動を受けるものであり、前記コンデンサは前記出力段トランジスタのうち前記一方のトランジスタに対して接続されているものであることを特徴とする請求項２に記載のアクティブターミネータ用アンプ。
【請求項４】
前記定電圧源が電源電圧ライン及び接地ラインのうち何れか一方であることを特徴とする請求項１乃至請求項３の何れかに記載されたアクティブターミネータ用アンプ。
【発明の詳細な説明】
【０００１】
【発明の属する技術分野】
この発明は、ＳＣＳＩ等のバスラインの終端に接続されるアクティブターミネータ用アンプに関し、詳しくは、バスラインの高速動作を可能とするアクティブターミネータ用アンプに関する。
【０００２】
【背景の技術】
一般に、複数のドライブユニット間で信号を伝達するバスラインに対しては、リンギング防止等のため各ラインごとに終端抵抗が接続され、且つ各終端抵抗の抵抗値が該当ラインの特性インピーダンスに整合するようにされるとともに、バスラインの安定な動作を可能とするために各ラインに対して終端抵抗を介して所定電圧の出力がなされる。
図５にブロック図を示したものは、そのようなアクティブターミネータを用いたシステムであり、これには、バスの各ライン間における確実なアイソレーションの確保に加えてバスラインの高速動作を可能とするために、終端抵抗を介したバスラインへの所定電圧の出力を行うアクティブターミネータ用アンプが各ライン毎に設けられている（特開平７−２６１８９０号公報参照）。
【０００３】
すなわち、複数のドライブユニット２，３，…の接続されたバスライン１に対してその終端にアクティブターミネータ４が接続される。そして、アクティブターミネータ４には、バンドギャップ電圧源５からの基準電圧Ｖinを入力端子ＩＮに受け出力端子ＯＵＴにバスライン１のラインＢＵＳ１が接続されるアクティブターミネータ用アンプ４１、同じく基準電圧Ｖinを入力端子ＩＮに受けるが出力端子ＯＵＴにはバスライン１のラインＢＵＳ２が接続されるアクティブターミネータ用アンプ４２、やはり出力端子ＯＵＴにラインＢＵＳｎが接続される以外同様のアクティブターミネータ用アンプ４ｎなど、ｎ個のアクティブターミネータ用アンプが、バスライン１のｎ本のラインそれぞれに対応して設けられている。これらのアクティブターミネータ用アンプ４１，４２〜４ｎは、何れも、入力端子ＩＮに受けた電圧Ｖinを非反転入力とし電圧Ｖo を出力するボルテージフォロア形アンプを具えていて、その電圧Ｖo が終端抵抗Ｒ３を介して出力端子ＯＵＴへ出力される。
【０００４】
そして、電圧Ｖo が電圧Ｖinに対応した所定電圧に一致した状態を維持するようにアンプへフィードバックが掛けられることから、各バスラインＢＵＳ１，ＢＵＳ２〜ＢＵＳｎの電圧状態がドライブユニット２，３，…の駆動によって変化したときでも、その変化に応じてアンプの出力電流が変わり、該当バスラインの電圧と所定電圧との差に対応した電流が終端抵抗Ｒ３を介してアクティブターミネータ用アンプ４１，４２〜４ｎから送給される。
こうして、信号伝達に不都合なリンギング等の発生を抑制する。
【０００５】
【従来の技術】
このようなアクティブターミネータ用アンプとしては、一般的なバッファアンプ、例えば入力段トランジスタによって差動増幅回路が構成されその差動信号によって駆動される出力段トランジスタがトーテムポール形になっているアンプでも良いのであるが、他のアクティブターミネータとの競合などを回避可能とするために、終端抵抗を介する所定電圧の出力をエネーブル信号に応じて選択的に行うようになったものも用いられる（特開平７−２４０６４２号公報参照）。
【０００６】
図６に回路を示したそのようなアクティブターミネータ用アンプは、入力段差動増幅回路として一対の入力段トランジスタＱ１及び入力段トランジスタＱ２が設けられ、最終段にトーテムポール形の出力段トランジスタＱ８及び出力段トランジスタＱ１０が設けられている。そして、電流吐出側である出力段トランジスタＱ８がベースに定電流Ｉ８を受けることで出力段トランジスタＱ８及び出力段トランジスタＱ１０にアイドル電流が流される。また、一方の入力段トランジスタＱ１がベースに電圧Ｖinを受け他方の入力段トランジスタＱ２がベースにフィードバックされた電圧Ｖo を受けてこれらが差動動作することで差動信号Ｄ１が生成され、それの電流増幅された差動信号Ｄ１０によって出力段トランジスタＱ１０が駆動されることで、電圧Ｖinと電圧Ｖo との差に応じて出力段トランジスタＱ１０のコレクタ電流がアイドル電流と異なる電流値に変化し、これによって生じた差の電流が終端抵抗Ｒ３を介してバスラインＢＵＳｉ（ＢＵＳ１〜ＢＵＳｎの何れか）へ送給されるようになっている。
【０００７】
また、端子ＥＮＢを介して入力されるエネーブル信号をトランジスタＱＮ１，ＱＮ２のゲートに受け、エネーブル信号がハイ（“Ｈｉｇｈ”）のときにトランジスタＱＮ１がオンして差動信号Ｄ１０のラインを接地させるとともにトランジスタＱＮ２もオンして定電流Ｉ８のラインも接地状態にさせて、出力をハイインピーダンスなフロート状態にする。そして、エネーブル信号がロー（“Ｌｏｗ”）のときだけバッファアンプとして動作するようになっている。
【０００８】
このような構成のアクティブターミネータ用アンプが終端に接続されたバスラインでは、例えアクティブターミネータが複数個接続されていても、そのうちの何れか適切なものだけ動作するようにエネーブル信号を用いて設定しておくことにより、バスラインＢＵＳｉの電圧状態がドライブユニットの駆動によってハイ・ロー変化したときでも（図７（ａ）参照）、終端抵抗Ｒ３を介して出力される電圧Ｖo は、バスライン側の電圧変化に拘わらずほぼ一定の所定電圧となる（図７（ｂ）参照）。
【０００９】
【発明が解決しようとする課題】
ところで、汎用ＣＰＵの高速化等により、バスライン特に周辺機器を結ぶＳＣＳＩ等のデバイスバスについても高速動作の要求が一段と厳しさを増してきている。
そして、この要請に応えようとして、単純にバスラインにおける電圧状態のスイッチング速度を従来よりも上げると、バスライン側の急峻な電圧変化にアンプの動作速度が追い付かなくなり、信号波形における遷移部後端に生じるリンギング等を十分に抑制することができずに、波形乱れが大きくなってしまい、バス動作の信頼性を確保することが困難になる。
このため、バスラインの高速動作を可能とするにはアクティブターミネータ用アンプの動作速度を向上させることが必要である。そして、アンプの高速化を図る直截的な実現手法としては、その構成要素である各トランジスタを高速化することが考えられる。
【００１０】
しかしながら、かかる直截的な対処方法を採ったのでは、不所望なコストアップを招いてしまう。特にボルテージフォロア形のように出力がそのまま入力にフィードバックされるところに用いられるアンプでは入力段から最終出力段に至るまでの一連のトランジスタ総てを対象として高速化することが求められるため、それによるコストアップには容認できないものがある。また、素子の単純な高速化には、ノイズに弱くなり易いという傾向があることも、見逃せない。
【００１１】
そこで、アンプ全般に通じるこのような対処方法は避けて、バスターミネータの特質を利用することで簡便に、アクティブターミネータ用アンプの高速化を図ることが課題となる。
この発明は、このような課題を解決するためになされたものであり、高速動作可能なアクティブターミネータ用アンプを簡易に実現することを目的とする。
【００１２】
【課題を解決するための手段】
このような課題を解決するため、アクティブターミネータ用アンプの使用環境では入力側の信号は基本的に変化せず出力側の信号だけが外的要因によって変化させられるという特殊性に着目して、一般には入力に対する応答性を低下させると認識されている手法を逆の高速化のために用いたのである。以下、この発明の第１乃至第４の解決手段について、その構成および作用効果を説明する。
【００１３】
［第１の解決手段］
第１の解決手段のアクティブターミネータ用アンプは（、出願当初の請求項１に記載の如く）、終端抵抗を介したＳＣＳＩ等のバスラインへの所定電圧の出力を行うアクティブターミネータ用アンプにおいて、コンデンサが設けられ、このコンデンサが出力段トランジスタの駆動ラインと所定の定電圧源とに介挿接続されているものである。
【００１４】
このような第１の解決手段のアクティブターミネータ用アンプにあっては、バスライン上を伝達される信号値が変わって電圧状態が遷移すると、終端抵抗の両端にかかる電圧も急変し、それに引きずられてアンプの出力電圧も変化しようとする。そうすると、アンプの出力段トランジスタを介してその変化が出力段トランジスタの駆動ラインにも及ぶ。そして、僅かにでも駆動ラインの電位が変化すると、その変化に応じて容量素子からトランジスタ駆動電流の一部が一時的に補給され、直ちに出力段トランジスタから終端抵抗への電流が補われて、アンプ出力電圧の急変が抑制される。さらに、この容量素子による駆動電流の補給が切れる頃には、アンプ本来の信号経路から出力段トランジスタに十分な駆動電流が供給される。
【００１５】
なお、アンプの入力信号が変化したとすると容量素子の存在によって出力段トランジスタの応答が遅くなってしまうが、アクティブターミネータ用アンプでは所定電圧の出力を行うために入力信号が基準電圧等の基本的に一定値の信号とされるので、かかる観点からの不都合はない。
これにより、アンプ全体の設計変更等を行うまでもなく、容量素子を付加する簡便な対策を施すだけで、バス伝達信号の速度を上げることができる。
したがって、この発明によれば、高速動作可能なアクティブターミネータ用アンプを簡易に実現することができる。
【００１６】
［第２の解決手段］
第２の解決手段のアクティブターミネータ用アンプは（、出願当初の請求項２に記載の如く）、終端抵抗を介したバスラインへの所定電圧の出力を行うボルテージフォロア形のアクティブターミネータ用アンプにおいて、出力段トランジスタがバイポーラトランジスタであり、且つこの出力段トランジスタのベースラインに一端が接続され他端が定電圧源に接続されたコンデンサが設けられていることを特徴とする。
【００１７】
このような第２の解決手段のアクティブターミネータ用アンプにあっては、バス伝達信号の遷移に伴って終端抵抗にかかる電圧が急変してアンプの出力電圧が変化しかかると、出力段トランジスタを介してその変化が出力段トランジスタのベースに及び、さらに、僅かにでもベース電位が変化すると、その変化に応じてコンデンサからベース電流の一部が一時的に補給され、直ちに出力段トランジスタから終端抵抗への電流が補われて、アンプ出力電圧の急変が抑制される。このコンデンサによる直接的なベース電流の補給は、ボルテージフォロア形アンプにおけるフィードバックループを信号が一巡するよりも早くなされる。そして、このベース電流の補給が切れる頃には、フィードバックループを辿ったアンプ本来の信号経路によって出力段トランジスタに十分なベース電流が供給される。
【００１８】
なお、この場合も第１解決手段同様、アンプの入力信号が変化したとするとコンデンサの存在によって出力段トランジスタの応答が遅くなってしまうが、アクティブターミネータ用アンプでは所定電圧の出力を行うために入力信号が基準電圧等の基本的に一定値の信号とされるので、かかる観点からの不都合はない。
これにより、アンプ全体の設計変更等を行うまでもなく、コンデンサを付加する簡便な対策を施すだけで、バス伝達信号の速度を上げることができる。
したがって、この発明によれば、高速動作可能なアクティブターミネータ用アンプを簡易に実現することができる。
【００１９】
［第３の解決手段］
第３の解決手段のアクティブターミネータ用アンプは（、出願当初の請求項３に記載の如く）、上記の第２の解決手段のアクティブターミネータ用アンプであって、前記出力段トランジスタはトーテムポール形のトランジスタ対を含んだものであり、そのうち一方のトランジスタは定電流による駆動を受けるものであり、他方のトランジスタは入力段差動増幅回路等からの差動信号による定常的な駆動を受けるものであり、前記コンデンサは前記出力段トランジスタのうち前記一方のトランジスタに対して接続されているものであることを特徴とする。
【００２０】
このような第３の解決手段のアクティブターミネータ用アンプにあっては、対をなす出力段トランジスタのうち一方のトランジスタ即ち定電流駆動側トランジスタによってバスラインの駆動に十分なアイドル電流が常時一定量供給されるとともに、他方のトランジスタ即ち差動信号駆動側トランジスタによってアイドル電流のうちからバスラインへ送給する電流量が可変制御される。そのため、差動信号駆動側トランジスタのベース電流は頻繁に変化するのに対し、定電流駆動側トランジスタのベース電流は比較的安定している。
【００２１】
そして、ベース電流の一時的補給を担うコンデンサが定電流駆動側トランジスタに対してそのベースラインに接続されていることから、コンデンサの動作状態も定常状態では安定した一定状態におかれるので、それによるベース電流の補給はバスラインの電圧状態の急変時に限って的確になされることとなる。
これにより、コンデンサを差動信号駆動側トランジスタに対して接続したときに比べて、アンプの動作状態が安定するとともに、差動信号の伝達遅れを招き易いという不都合も回避される。
したがって、この発明によれば、安定して高速動作可能なアクティブターミネータ用アンプを簡易に実現することができる。
【００２２】
［第４の解決手段］
第４の解決手段のアクティブターミネータ用アンプは（、出願当初の請求項４に記載の如く）、上記の第１〜第３の解決手段のアクティブターミネータ用アンプであって、前記コンデンサの接続される前記定電圧源が電源電圧ライン又は接地ラインとなっていることを特徴とする。
【００２３】
このような第４の解決手段のアクティブターミネータ用アンプにあっては、アンプに通常備わっている正負何れかの電源電圧ラインあるいは接地ラインのうち回路レイアウト上もっとも接続しやすいものをコンデンサ接続先の定電圧源として利用することができる。
これにより、ベース電流補給用のコンデンサを追設するに際し、その回路設計についても容易となる。
したがって、この発明によれば、高速動作可能なアクティブターミネータ用アンプを一層簡易に実現することができる。
【００２４】
【発明の実施の形態】
このような解決手段で達成された本発明のアクティブターミネータ用アンプについて、これを実施するための具体的形態を、先ず、図１に示した第１実施例の構成、次に、図２に示した第２実施例の構成について第１実施例との相違点、最後に、図３に示したそれらの主要部および図４に示した波形例に基づいてその使用態様及び動作の順に説明する。
なお、背景の技術の欄において既述した内容は本欄にも共通するので、その重複する再度の説明は割愛する。また、図示に際しては、従来と同様の構成要素には同一の符号を付してある。
【００２５】
先ず、図１に回路図を示した第１実施例のアクティブターミネータ用アンプは、コンデンサＣ３（容量素子）が新たに設けられ、これが出力段トランジスタＱ８のベースライン（駆動ライン）と接地ＧＮＤ（定電圧源）とに介挿接続される点で、図６に示した従来のものと相違する。出力段トランジスタＱ８はバスラインの終端抵抗Ｒ３へ所定電圧Ｖｏを印加出力するトランジスタである。
【００２６】
すなわち、このアクティブターミネータ用アンプは、入力段差動増幅回路として一対の入力段トランジスタＱ１及び入力段トランジスタＱ２が設けられ、最終段に直列接続されてトーテムポール形となった出力段トランジスタＱ８及び出力段トランジスタＱ１０が設けられていたところに、リードインダクタンス等の少ない小容量のコンデンサＣ３が追加導入されたものとなっている。このコンデンサＣ３は、ベース電流に対する一時的な補給電流Ｄ３の供給を担うために、一端が出力段トランジスタＱ８のベースラインに接続され、他端が接地ＧＮＤに接続されたものとなっている。
【００２７】
入力段トランジスタＱ１及び入力段トランジスタＱ２は、特性の揃ったＰＮＰ形トランジスタであり、エミッタが共通接続されて定電流Ｉ１の供給を受けるとともに、コレクタがカレントミラーＱ３，Ｑ４，Ｑ２２に接続されて同一値の電流によって駆動される。そして、入力段トランジスタＱ１がベースに入力端子ＩＮを介して基準電圧Ｖinを受ける一方、入力段トランジスタＱ２がベースにフィードバックされた電圧Ｖo を受けるように接続される。このような接続によって、アンプがボルテージフォロア形になり、このような入力段差動増幅回路によって、入力段トランジスタＱ１のコレクタラインから取り出される差動信号Ｄ１が電圧Ｖo と電圧Ｖinとの差に対応した電流値を採るものとなっている。
【００２８】
なお、定電流Ｉ１を生成するために、カレントミラーＱＲ１，ＱＲ２，ＱＲ３及びカレントミラーＱＲ５，ＱＲ６，ＱＲ７が設けられている。そして、入力端子ＩＲＥＦに基準となる微少の定電流が供給されると、これをカレントミラーＱＲ１，ＱＲ２，ＱＲ３によって反転および増幅し、さらにカレントミラーＱＲ５，ＱＲ６，ＱＲ７によって再び反転して、入力段差動増幅回路に適した量および向きの定電流Ｉ１を出力するようになっている。
【００２９】
また、カレントミラーＱＲ５，ＱＲ６，ＱＲ７と入力側を共有するカレントミラーＱＲ５，ＱＲ６，ＱＲ８も設けられていて、トランジスタＱＲ８のコレクタから或る程度増幅された定電流Ｉ８が出力されるようになっている。
さらに、カレントミラーＱＲ１，ＱＲ２，ＱＲ３と入力側を共有するカレントミラーＱＲ１，ＱＲ２，ＱＲ４も設けられていて、トランジスタＱ５，Ｑ６を能動的な動作状態にさせるようにもなっている。
【００３０】
これらのＮＰＮ形トランジスタＱ５，Ｑ６は、コレクタが共に電源電圧ラインＶccに接続され、トランジスタＱ５のエミッタ及びトランジスタＱ６のベースがカレントミラーＱＲ１，ＱＲ２，ＱＲ４の出力ラインに接続され、トランジスタＱ６のコレクタが抵抗Ｒ１，Ｒ２を介して接地されるとともに出力段トランジスタＱ１０のベースに接続される。そして、トランジスタＱ５のベースに差動信号Ｄ１を受けると、これを或る程度電流増幅するとともに出力段トランジスタＱ１０を能動状態にしておくのに必要なバイアス成分をも含ませて差動信号Ｄ１０を生成し、これを出力段トランジスタＱ１０へ送出するようになっている。
【００３１】
出力段トランジスタＱ１０は、バスラインの規格に対応して十分な電流駆動能力を具えたＮＰＮ形トランジスタであり、エミッタが接地されコレクタがダイオード接続のトランジスタＱ９を介して出力電圧Ｖo のライン即ち終端抵抗Ｒ３に至るラインに接続される。そして、抵抗Ｒ１，Ｒ２によって必要なベース・エミッタ間電圧を付与され、さらにベースに差動信号Ｄ１０を受けて、これによって駆動されると、差動信号Ｄ１０に応じたコレクタ電流を接地側へ流して、電圧Ｖinと電圧Ｖo との差に応じた電流を電圧Ｖo のラインから吸入するようになっている。
【００３２】
出力段トランジスタＱ８は、これもバスラインの規格に対応して十分な電流駆動能力を具えたＮＰＮ形トランジスタであり、コレクタが電源電圧ラインＶccに接続されエミッタが出力電圧Ｖo のライン即ち終端抵抗Ｒ３に至るラインに接続される。そして、ベースに定電流Ｉ８を受けて、これによって駆動されると、ほぼ一定のアイドル電流を電源側から流して電圧Ｖo のラインへ吐出するようになっている。
【００３３】
出力段トランジスタＱ８のベースラインと出力段トランジスタＱ１０のコレクタラインとの間には、ＰＮＰトランジスタＱ７，Ｑ１７が設けられ、トランジスタＱ１７のコレクタとベースとエミッタとトランジスタＱ７のコレクタとベースとが出力段トランジスタＱ８のベースラインに接続され、トランジスタＱ７のエミッタが出力段トランジスタＱ１０のコレクタラインに接続される。さらにコンデンサＣ２が設けられ、その一端が差動信号Ｄ１のラインに接続され他端がトランジスタＱ７のベースに接続される。
【００３４】
この場合、出力段トランジスタＱ８のベースラインと出力段トランジスタＱ１０のコレクタライン間における電位差に関して、定常状態では、トランジスタＱ８，Ｑ９経由側とトランジスタＱ１７，Ｑ７経由側とがバランスするのでトランジスタＱ１７，Ｑ７及びコンデンサＣ２の存在はアンプ動作に影響しないが、過渡的な状態では、差動信号Ｄ１の変化に応じて定電流Ｉ８の一部すなわち出力段トランジスタＱ８のベース電流の一部Ｄ８がトランジスタＱ１７，Ｑ７を経由して出力段トランジスタＱ１０側へバイパスされる。これにより、過渡的状態におけるアンプ動作が安定する。そして、この働きが損なわれないように、コンデンサＣ３の容量はコンデンサＣ２のそれよりも小さくされる。例えば、２５ｐＦのコンデンサＣ２に対し、コンデンサＣ３は１０ｐＦ程度のものとなっている。
【００３５】
なお、端子ＥＮＢを介して入力されるエネーブル信号をゲートに受けるＭＯＳトランジスタＱＮ１，ＱＮ２も存置されていて、コンデンサＣ３が導入された後も、エネーブル信号がハイ（“Ｈｉｇｈ”）のときにトランジスタＱＮ１がオンして差動信号Ｄ１０のラインを接地させるとともにトランジスタＱＮ２もオンして定電流Ｉ８のラインも接地状態にさせて出力をハイインピーダンスなフロート状態にすることで、エネーブル信号がロー（“Ｌｏｗ”）のときだけバッファアンプとして動作する。これにより、本発明は、終端抵抗を介する所定電圧の出力をエネーブル信号に応じて選択的に行うようになったアクティブターミネータ用アンプにも適用しうるものとなっている。
【００３６】
次に、図２に回路図を示した第２実施例のアクティブターミネータ用アンプは、新たに設けられたコンデンサＣ３の他端が接地ＧＮＤの代わりに電源電圧Ｖccに接続されている点で上記第１実施例のものと相違するが、他は同様である。
【００３７】
最後に、この第１，第２実施例のアクティブターミネータ用アンプについて、その使用態様及び動作を説明する。図３は、これらの回路に共通する主要部であり、図４は、その出力電圧についての波形例である。
【００３８】
使用に先だって、アンプ出力電圧Ｖo を一端に受ける終端抵抗Ｒ３の他端が出力端子ＯＵＴを介して一本のバスラインＢＵＳｉに接続され、入力端子ＩＮに電圧Ｖinが印加され、入力端子ＩＲＥＦに定電流が供給され、さらに端子ＥＮＢ経由で入力されるエネーブル信号がローにされる。
こうして、アクティブターミネータ用アンプが動作可能状態となる。
【００３９】
そして、定電流Ｉ８によって駆動される出力段トランジスタＱ８から電圧Ｖo のラインへアイドル電流が流され、バスラインＢＵＳｉの電圧状態がハイのときには、電圧Ｖo がバスラインＢＵＳｉによって終端抵抗Ｒ３を介して僅かに高めされ、これが入力段トランジスタＱ２のベースにフィードバックされて、入力段トランジスタＱ１からの差動信号Ｄ１延いては差動信号Ｄ１０の電流値が増し、これで駆動される出力段トランジスタＱ１０によってアイドル電流のほとんどが電圧Ｖo のラインから接地ＧＮＤへ流される。また、バスラインＢＵＳｉと電圧Ｖo との差に応じて終端抵抗Ｒ３に流れる電流も出力段トランジスタＱ１０によって電圧Ｖo のラインから接地ＧＮＤへ流される。
【００４０】
この状態で回路状態が釣り合っているときに、バスラインＢＵＳｉの電圧状態が何れかのドライブユニットの駆動によってハイからローに急激に変化させられると、終端抵抗Ｒ３を介してバスラインＢＵＳｉから流れ込んでいた電流が減少して、その影響が電圧Ｖo のラインに及んで、電圧Ｖo が僅かに低めにされる。そうすると、これが入力段トランジスタＱ２のベースにフィードバックされるとともに、出力段トランジスタＱ８にも伝達されて出力段トランジスタＱ８のベース電圧をも僅かに変化させる。そして、入力段トランジスタＱ２へのフィードバックが入力段トランジスタＱ１及び差動信号Ｄ１に及ぼうとしている間に、コンデンサＣ３から出力段トランジスタＱ８のベースラインへ補給電流Ｄ３が供給され、直ちに出力段トランジスタＱ８の吐出する電流が増えて、終端抵抗Ｒ３経由の流入電流の減少分が或る程度相殺させられる。
【００４１】
この補給電流Ｄ３は一時的なもので速やかに止まり、出力段トランジスタＱ８の吐出電流も元のアイドル電流に戻るが、そうこうするうちに、差動信号Ｄ１０の電流値が減少し、これに従って出力段トランジスタＱ１０によって電圧Ｖo のラインから接地ＧＮＤへ流される電流が絞られる。そして、出力段トランジスタＱ８の吐出電流と出力段トランジスタＱ１０の吸入電流との差電流が終端抵抗Ｒ３を介して電圧Ｖo の出力ラインからバスラインＢＵＳｉへ供給され、その差電流に対応して終端抵抗Ｒ３に発生した電圧によって電圧Ｖo が電圧Ｖinに匹敵したところで、回路状態が釣り合う。
【００４２】
この状態で、反対にバスラインＢＵＳｉの電圧状態がローからハイに変化させられると、電圧・電流の変化の向きは逆になるが、上述したのと同様にして、先ず補給電流Ｄ３による出力段トランジスタＱ８の吐出電流の一時的な削減がなされ、次に、フィードバックに基づく差動信号Ｄ１０よる出力段トランジスタＱ１０の吸入電流の本格的な増加がなされ、その状態が継続される。
こうして、バスラインＢＵＳｉの電圧状態がハイ・ロー何れに変化したときでも、コンデンサＣ３から出力段トランジスタＱ８のベースに補給電流Ｄ３が速やかに供給されるので、バスライン側の電圧変化が従来より急峻に行われても、従来（図４における点線波形を参照）と異なり、電圧Ｖo はほぼ一定の所定電圧に安定して収まる（図４における実線波形を参照）。そして、バスラインＢＵＳｉにおけるリンギングも小さくなる。
【００４３】
【発明の効果】
以上の説明から明らかなように、本発明の第１の解決手段のアクティブターミネータ用アンプにあっては、トランジスタ駆動信号の一時的補給を担う容量素子を付加して、アンプ全体の変更を行うまでもないようにしたことにより、高速動作可能なアクティブターミネータ用アンプを簡易に実現することができたという有利な効果が有る。
【００４４】
また、本発明の第２の解決手段のアクティブターミネータ用アンプにあっては、出力段トランジスタのベースラインに対してコンデンサを付加し、これによってアンプ本来のフィードバックが働くまで一時的にベース電流が補給されるようにしたことにより、アンプ全体の設計変更等を行うまでもなく、高速動作可能なアクティブターミネータ用アンプを簡易に実現することができたという有利な効果が有る。
【００４５】
さらに、本発明の第３の解決手段のアクティブターミネータ用アンプにあっては、ベース電流補給用のコンデンサをベース電流の安定している方の出力段トランジスタに対して接続するようにしたことにより、安定して高速動作可能なアクティブターミネータ用アンプを簡易に実現することができたという有利な効果が有る。
【００４６】
また、本発明の第４の解決手段のアクティブターミネータ用アンプにあっては、ベース電流補給用コンデンサの接続先として既存の定電圧源を用いるようにしたことにより、高速動作可能なアクティブターミネータ用アンプを一層簡易に実現することができたという有利な効果を奏する。
【図面の簡単な説明】
【図１】  本発明のアクティブターミネータ用アンプの第１実施例について、その回路図である。
【図２】    第２実施例についての回路図である。
【図３】    これらの回路における主要部である。
【図４】    その出力電圧の波形例である。
【図５】  アクティブターミネータのブロック図である。
【図６】  従来のアクティブターミネータ用アンプの回路である。
【図７】    その出力電圧の一波形例である。
【図８】    その出力電圧の他の波形例である。
【符号の説明】
１      バスライン
２，３  ドライブユニット（バスに接続される回路・装置）
４      アクティブターミネータ
５      バンドギャップ電圧源（ＢＧ、基準電圧源）
４１，４２，４ｎ  アクティブターミネータ用アンプ
ＩＮ    入力端子
Ｑ１    入力段トランジスタ（非反転入力用、基準電圧側）
Ｑ２    入力段トランジスタ（反転入力用、フィードバック側）
Ｑ８    出力段トランジスタ（ソース側、電流吐出用、定電流駆動側）
Ｑ１０  出力段トランジスタ（シンク側、電流吸入用、差動信号駆動側）
Ｒ３    終端抵抗
ＯＵＴ  出力端子
Ｃ３    コンデンサ（容量素子）
【図１】
0003786492.tif 000002
【図２】
0003786492.tif 000003
【図３】
0003786492.tif 000004
【図４】
0003786492.tif 000005
【図５】
0003786492.tif 000006
【図６】
0003786492.tif 000007
【図７】
0003786492.tif 000008
【図８】
0003786492.tif 000009